(57)【要約】【課題】圧入治具を均一な圧入力、且つ同芯でシール部材に当接させることができ、芯金の変形無く、シールリングを外輪の正規位置へ圧入することができる車輪支持用転がり軸受ユニットを提供する。【解決手段】車輪支持用転がり軸受ユニットは、外輪１の軸方向外端部に支持固定された状態で、外輪１の内周面とハブ２の外周面との間に存在する内部空間２８の軸方向外端開口を塞ぐシールリング５と、を備える。該シールリング５は、芯金２９と、該芯金２９に支持された弾性材製のシール材３０とを備える。芯金２９は、金属材製で全体が円環状であり、外輪１の軸方向外端部に嵌合固定される嵌合筒部３１と、該嵌合筒部３１の軸方向外端部から径方向外方に向けて折れ曲がった外向鍔部３２とを有する。シール材３０は、弾性材製の接触リップ３４、３５、３６と、外向鍔部３２の周囲を覆った外径側覆部３８と、外輪１の軸方向外端部の嵌合径φＡより小径の位置に設けられ、回転側フランジ１１に向けて突出する環状突起４０と、を有する。【選択図】図２
2020020351.tif 000002
【特許請求の範囲】
【請求項１】
内周面に外輪軌道を有し、使用時にも回転しない外輪と、
外周面の前記外輪軌道と対向する部分に内輪軌道を有すると共に、前記外輪よりも軸方向外側に位置する部分で外径側に延出し、車輪を支持固定する為の回転側フランジを有するハブと、
前記外輪軌道と前記内輪軌道との間に転動自在に設けられた複数の転動体と、
前記外輪の軸方向外端部に支持固定された状態で、前記外輪の内周面と前記ハブの外周面との間に存在する内部空間の軸方向外端開口を塞ぐシールリングと、を備え、
該シールリングは、芯金と、該芯金に支持された弾性材製のシール材とを備え、
前記芯金は、金属材製で全体が円環状であり、前記外輪の軸方向外端部に嵌合固定される嵌合筒部と、該嵌合筒部の軸方向外端部から径方向外方に向けて折れ曲がった外向鍔部とを有し、
前記シール材は、弾性材製の接触リップと、前記外向鍔部の周囲を覆った外径側覆部と、前記外輪の軸方向外端部の嵌合径より小径の位置に設けられ、前記回転側フランジに向けて突出する環状突起と、を有する、
車輪支持用転がり軸受ユニット。
【請求項２】
前記環状突起は、全周に亘って設けられる、
請求項１に記載した車輪支持用転がり軸受ユニット。
【請求項３】
前記環状突起は、円周方向に間欠的に形成される、
請求項１に記載した車輪支持用転がり軸受ユニット。
【請求項４】
前記環状突起は、軸方向外側に向かうほど小径となるテーパ状の外周面を有する、
請求項１〜３のいずれか１項に記載した車輪支持用転がり軸受ユニット。
【発明の詳細な説明】
【技術分野】
【０００１】
本発明は、自動車の車輪を懸架装置に対して回転自在に支持する為に使用される車輪支持用転がり軸受ユニットに関する。
【背景技術】
【０００２】
自動車の車輪を懸架装置に対して回転自在に支持する車輪支持用転がり軸受ユニットでは、転動体が配置される内部空間を外部から密封するためのシールリングが使用されている（例えば、特許文献１参照）。特許文献１に記載の転がり軸受ユニットでは、懸架装置に支持固定された状態で使用時にも回転しない外輪の内周面と、車輪を支持固定した状態でこの車輪と共に回転するハブの外周面との間に設けられた内部空間の軸方向外端開口部を塞ぐため、図６に示すシールリング１００が使用されている。
【０００３】
尚、本明細書及び特許請求の範囲の全体で、軸方向に関して「外」とは、自動車への組み付け状態で車体の幅方向外側となる、図１、２、４、５、６の左側を言い、反対に車体の幅方向中央側となる、図１、２、４、５、６の右側を、軸方向に関して「内」と言う。
【０００４】
シールリング１００は、芯金１０１と、シール材１１０とから構成されている。芯金１０１は、外輪１２０の軸方向外端部の嵌合面に内嵌固定された嵌合筒部１０２と、嵌合筒部１０２の軸方向外端部から径方向外方に向けて直角に折れ曲がった外向鍔部１０３と、嵌合筒部１０２の軸方向内端部から軸方向外側に向けて１８０度折り返されると共に径方向内方に向けて折れ曲がった内径側支持部１０４と、を備える。
【０００５】
また、シール材１１０は、弾性材製で、芯金１０１に対し加硫接着により結合固定されており、３本のシールリップ１１１〜１１３と、外向鍔部１０３の周囲を覆うように設けられた外径側覆部１１４と、を備える。外向鍔部１０３の軸方向内側面は、この外径側覆部１１４の一部を介在させた状態で、外輪１２０の軸方向外端面に突き当てられる。
【０００６】
さらに、外向鍔部１０３及び外径側覆部１１４のうち、外輪１の軸方向外端部よりも径方向外方に突出した部分により、堰部１１５が構成される。堰部１１５は、外輪１の外周面に付着した雨水、泥水等の水分が、外輪１２０の外周面に沿って軸方向外方に流れてきた場合でも、この水分を堰部１１５によって堰き止めることにより、この水分が外輪１２０の軸方向外端面と回転側フランジの軸方向内側面との間部分を通じて、シールリップ１１１〜１１３へ滴下するのを防止している。
【先行技術文献】
【特許文献】
【０００７】
【特許文献１】特開２０１８−７１７１４号公報
【発明の概要】
【発明が解決しようとする課題】
【０００８】
ところで、このような構成を有するシールリング１００を、外輪１２０の軸方向外端部の嵌合面に圧入するときは、芯金外径側の外向鍔部１０３を被覆するシール材１１０の外径側覆部１１４を介して、外向鍔部１０３を圧入治具で押し込む手法が採られている。その際、圧入治具の内径（以下、「圧入径」と呼ぶ。）と嵌合面の内径（以下、「嵌合径」と呼ぶ。）が異なるため、圧入治具と芯金１０１の外向鍔部１０３が芯ずれしていると、嵌合部への圧入力の伝わり方が全周で不均一となり、外輪１２０の正規位置への圧入（軸方向位置の他、軸線との傾きを含む）ができなかったり、芯金１０１に変形が生じたりする。
【０００９】
特許文献１に記載のシールリング１００では、圧入治具が当接する圧入面を軸方向外側に突出させ、圧入治具が芯ずれを起こしていても、少なくとも圧入面内径側（圧入の出来栄えに影響が大きい側）は、圧入面に圧入治具が均一に当たるようにしている。
しかしながら、このシールリングでは、圧入面のゴム被覆が厚くなるので、かえって、正規位置への圧入が難しくなる虞がある。
【００１０】
本発明は、上述の様な事情に鑑み、圧入治具を均一な圧入力、且つ同芯でシール部材に当接させることができ、芯金の変形無く、シールリングを外輪の正規位置へ圧入することができる車輪支持用転がり軸受ユニットを提供することを目的とする。
【課題を解決するための手段】
【００１１】
本発明の上記目的は、以下の構成によって達成される。
（１）  内周面に外輪軌道を有し、使用時にも回転しない外輪と、
外周面の前記外輪軌道と対向する部分に内輪軌道を有すると共に、前記外輪よりも軸方向外側に位置する部分で外径側に延出し、車輪を支持固定する為の回転側フランジを有するハブと、
前記外輪軌道と前記内輪軌道との間に転動自在に設けられた複数の転動体と、
前記外輪の軸方向外端部に支持固定された状態で、前記外輪の内周面と前記ハブの外周面との間に存在する内部空間の軸方向外端開口を塞ぐシールリングと、を備え、
該シールリングは、芯金と、該芯金に支持された弾性材製のシール材とを備え、
前記芯金は、金属材製で全体が円環状であり、前記外輪の軸方向外端部に嵌合固定される嵌合筒部と、該嵌合筒部の軸方向外端部から径方向外方に向けて折れ曲がった外向鍔部とを有し、
前記シール材は、弾性材製の接触リップと、前記外向鍔部の周囲を覆った外径側覆部と、前記外輪の軸方向外端部の嵌合径より小径の位置に設けられ、前記回転側フランジに向けて突出する環状突起と、を有する、
車輪支持用転がり軸受ユニット。
（２）  前記環状突起は、全周に亘って設けられる、
（１）に記載した車輪支持用転がり軸受ユニット。
（３）  前記環状突起は、円周方向に間欠的に形成される、
（１）に記載した車輪支持用転がり軸受ユニット。
（４）  前記環状突起は、軸方向外側に向かうほど小径となるテーパ状の外周面を有する、
（１）〜（３）のいずれかに記載した車輪支持用転がり軸受ユニット。
【発明の効果】
【００１２】
上述の様な構成を有する本発明の車輪支持用転がり軸受ユニットによれば、圧入治具を均一な圧入力、且つ同芯でシール部材に当接させることができ、芯金の変形無く、シールリングを外輪の正規位置へ圧入することができる。
【図面の簡単な説明】
【００１３】
【図１】本発明の一実施形態に係る車輪支持用転がり軸受ユニットの断面図である。
【図２】図１のＩＩ部拡大図である。
【図３】シールリングを外輪の軸方向外端部に嵌合固定する過程を示し、（ａ）は、嵌合固定前の状態図であり、（ｂ）は、嵌合固定後の状態図である。
【図４】本発明の第１変形例に関する、シールリングの断面図である。
【図５】本発明の第２変形例に関する、シールリングの断面図である。
【図６】従来のシールリングを示す断面図である。
【発明を実施するための形態】
【００１４】
本発明の一実施形態に係る車輪支持用転がり軸受ユニットに就いて、図１〜３を用いて詳細に説明する。
本実施形態の車輪支持用転がり軸受ユニットは、従動輪用であり、外輪１と、ハブ２と、複数の転動体３、３と、複数本のスタッドボルト４と、シールリング５と、キャップ６とを備える。
【００１５】
外輪１は、外周面に静止側フランジ７を、内周面に複列の外輪軌道８ａ、８ｂを、それぞれ有している。外輪１は、使用時に、静止側フランジ７を、懸架装置のナックルに結合固定する事により、この懸架装置に支持された状態で回転しない。
【００１６】
ハブ２は、ハブ本体９と内輪１０とを結合する事により構成されており、外輪１の内径側に外輪１と同軸（同芯）に配置されている。
【００１７】
ハブ本体９には、外輪１の軸方向外端開口から軸方向外方に突出した部分に外径側に延出し、車輪（従動輪）及びディスクロータ等の制動用回転部材を支持固定する為の円輪状の回転側フランジ１１が設けられている。具体的に、回転側フランジ１１に設けられた各挿通孔２２には、それぞれスタッドボルト４がセレーション嵌合されている。
【００１８】
又、ハブ本体９の外周面には、外輪１の内周面に設けられた軸方向外側列の外輪軌道８ａと対向する部分に、軸方向外側列の内輪軌道１２ａが設けられている。又、ハブ本体９の外周面のうち、外輪１の内周面に設けられた軸方向内側列の外輪軌道８ｂと対向する軸方向内端部には、小径段部１３が設けられている。
【００１９】
内輪１０の外周面には、軸方向内側列の内輪軌道１２ｂが設けられている。内輪１０は、ハブ本体９の小径段部１３に締り嵌めにより外嵌固定された状態で、ハブ本体９の軸方向内端部に形成されたかしめ部２３により軸方向内端面を抑え付けられている。
【００２０】
転動体３、３は、軸方向外側列の外輪軌道８ａと内輪軌道１２ａとの間部分、及び、軸方向内側列の外輪軌道８ｂと内輪軌道１２ｂとの間部分に、それぞれ複数ずつ、保持器２４、２４により保持された状態で転動自在に設けられている。尚、図示の例では、転動体３、３として玉を使用しているが、重量が嵩む自動車の車輪支持用転がり軸受ユニットの場合には、玉に代えて円すいころを使用する場合もある。
【００２１】
シールリング５は、外輪１の軸方向外端部に支持固定された状態で、この外輪１の内周面とハブ２の外周面との間に存在する、複数の転動体３、３が設けられた内部空間２８の軸方向外端開口を塞いでいる。
一方、キャップ６は、有底円筒状に構成されており、外輪１の軸方向内端部に組み付けられた状態で、外輪１の軸方向内端開口を塞いでいる。
【００２２】
図２に示すように、本実施形態の場合、シールリング５は、芯金２９と、シール材３０とから構成されている。
【００２３】
芯金２９は、鋼板等の金属板に打ち抜き及び曲げ等のプレス加工を施す事により、全体を円環状に構成されており、円筒状の嵌合筒部３１と、嵌合筒部３１の軸方向外端部から径方向外方に向けて折れ曲がった外向鍔部３２と、嵌合筒部３１の軸方向内端部から軸方向外側に向けて折り返されると共に径方向内方に向けて折れ曲がった内径支持部３３とを有している。嵌合筒部３１は、外輪１の軸方向外端部の内周面である嵌合面１ａに締り嵌めで内嵌固定されると共に、外向鍔部３２の軸方向内側面は、外輪１の軸方向外端面に、シール材３０を介在させた状態で突き当てられている。又、本実施形態の場合、外向鍔部３２の外径寸法は、外輪１の軸方向外端部の外径寸法よりも大きくなっている。
【００２４】
シール材３０は、ゴムの如きエラストマー等の弾性材製で、芯金２９に加硫接着により結合固定されており、３本の接触リップ（接触式シールリップ）３４、３５、３６を有する。
【００２５】
３本の接触リップ３４、３５、３６は、内部空間２８に近い側から、第一接触リップ３４、第二接触リップ３５、第三接触リップ３６の順に配置されており、それぞれの先端部を、外輪１と相対回転する相手面である、ハブ本体９の表面に全周に亙り摺接させている。
【００２６】
より具体的には、第一接触リップ３４の先端部は、軸方向に関して径寸法が変化しないハブ本体９の円筒面部２１に全周に亙り摺接し、内部空間２８からのグリースの漏洩防止機能を高めている。第二接触リップ３５の先端部は、径方向外側に向かう程軸方向外側に向かう方向に傾斜した、母線形状が凹円弧形の曲面部２０に全周に亙り摺接し、外部空間からの異物侵入防止機能を高めている。第三接触リップ３６の先端部も、曲面部２０、又は、曲面部２０の径方向外側に隣接して、ハブ本体９の中心軸に対して直交する円輪面部１９に全周に亙り摺接し、外部空間からの異物侵入防止機能を高めている。尚、図１、２、４、５では、３本の接触リップ３４、３５、３６を含むシール材３０の形状は、このシール材３０の自由状態で示している。
【００２７】
又、シール材３０には、芯金２９を構成する外向鍔部３２の表面のほぼ全体を覆う、外径側覆部３８が設けられている。外向鍔部３２の軸方向内側面は、外径側覆部３８の一部を介在させた状態で外輪１の軸方向外端面に突き当てられている。又、本実施形態の場合、外向鍔部３２及び外径側覆部３８のうち、外輪１の軸方向外端部よりも径方向外方に突出した部分により、堰部３９が構成されている。
なお、本実施形態では、外径側覆部３８の軸方向内側面及び軸方向外側面は、ハブ本体９の中心軸に対して直交する平坦面とされている。
この為、外輪１の外周面に付着した雨水、泥水等の水分が、外輪１の外周面に沿って軸方向外方に流れてきた場合でも、この水分を堰部３９によって堰き止める事により、この水分が外輪１の軸方向外端面と回転側フランジ１１の軸方向内側面との間部分を通じて第三接触リップ３６にまで到達する事を防止できる。
【００２８】
また、シール材３０の軸方向外側面には、外輪１の軸方向外端部の嵌合径、即ち、嵌合面１ａの内径φＡより小径の位置に、回転側フランジ１１に向けて軸方向に突出する環状突起４０が設けられている。この環状突起４０は、上述したように、嵌合筒部３１を、外輪１の軸方向外端部の嵌合面１ａに締り嵌めで内嵌固定する際に、圧入治具５０の内周面を案内する。
具体的に、まず、図３（ａ）に示すように、圧入治具５０の圧入径、即ち、圧入治具５０の内径φＢは、嵌合面１ａの内径φＡより小さく、環状突起４０の外径よりもわずかに大きく設計されている。そして、定配装置から切り出されたシールリング５が外輪１の軸方向外側開口にセットされる。また、圧入治具５０の内周面を環状突起４０で案内させると共に、圧入治具５０の先端部を外径側覆部３８の軸方向外側面に当接させる。その後、図３（ｂ）に示すように、外向鍔部３２及び外径側覆部３８を圧入治具５０で外輪１に向けて押し込むことで、嵌合筒部３１は、外輪１の軸方向外端部の嵌合面１ａに内嵌固定される。その際、圧入治具５０は、環状突起４０で案内されているので、圧入治具５０とシールリング５との芯ずれがなく、シールリング５は、芯金２９の変形無く、外輪１の正規位置に圧入される。
なお、本実施形態では、環状突起４０は、外径側覆部３８の軸方向外側面の内径側端部に、軸方向から見て、芯金２９の嵌合筒部３１と部分的に重なる位置に設けられている。
また、環状突起４０は、近接対向する回転側フランジ１１の円輪面部１９との間にラビリンスシールを形成するような軸方向長さに設定されてもよい。
【００２９】
上述の様な構成を有する本実施形態の車輪支持用転がり軸受ユニットによれば、シール材３０は、弾性材製の接触リップ３４、３５、３６と、芯金２９の外向鍔部３２の周囲を覆った外径側覆部３８と、外輪１の軸方向外端部の嵌合径φＡより小径の位置に設けられ、回転側フランジ１１に向けて突出する環状突起４０と、を有するので、シールリング５の芯金２９の嵌合筒部３１を外輪１の軸方向外端部の嵌合面１ａに内嵌固定する際、圧入治具５０を均一な圧入力、且つ同芯でシール材３０に当接させることができ、芯金２９の変形無く、シールリング５を外輪１の正規位置へ圧入することができる。また、圧入治具５０とシールリング５の芯ずれが防止されているので、圧入治具５０が当接する外径側覆部３８の軸方向外側面の軸方向厚さを薄く設計することができる。
【００３０】
尚、本発明を実施する場合には、上述した実施形態の第１変形例として、図４に示す様に、環状突起４０Ａは、軸方向外側に向かうほど小径となるテーパ状の外周面４１を有する構成を採用する事もできる。なお、テーパ状の外周面４１は、直線状に限定されず、凸曲面状であってもよい。この様な構成を採用する場合、定配装置から切り出したシールリング５が外輪１の軸方向外側開口に少し傾いた状態で置かれても、圧入治具５０と外輪１の軸芯があっていれば、圧入治具５０で傾きを矯正しながら、シールリング５を圧入できる。
【００３１】
又、本発明を実施する場合には、上述した実施形態の第２変形例として、図５に示す様に、環状突起４０Ｂは、円周方向に間欠的に形成される構成を採用する事もできる。第２変形例の環状突起４０Ｂは、円周方向等配となる３箇所に設けられている。尚、環状突起４０Ｂは、４箇所以上に設けられてもよい。この場合、仮に、環状突起４０Ｂが回転側フランジ１１と接触しても、トルク発生による発熱や環状突起４０Ｂの損耗が少ないので、環状突起４０Ｂをより高くすることができ、圧入治具５０とシールリング５との同芯性を向上することができる。また、第１変形例のように、環状突起４０Ｂの外周面４１をテーパ状の凸曲面とした場合には、シールリング５の調心性を向上することができる。
【００３２】
本発明は、上述した実施形態（変形例を含む）の構成を適宜組み合わせて実施する事ができる。
また、本発明の車輪支持用転がり軸受ユニットは、上述した従動輪用に限らず、駆動輪用にも適用可能である。
さらに、本発明の環状突起は、圧入治具の内周面を案内する同一円周上に設けられた３つの突起によって構成されてもよい。
【符号の説明】
【００３３】
１    外輪
２    ハブ
３    転動体
４    スタッドボルト
５    シールリング
６    キャップ
７    静止側フランジ
８ａ、８ｂ    外輪軌道
９    ハブ本体
１０    内輪
１１    回転側フランジ
１２ａ、１２ｂ    内輪軌道
１３    小径段部
１９    円輪面部
２０    曲面部
２１    円筒面部
２３    かしめ部
２４    保持器
２８    内部空間
２９    芯金
３０    シール材
３１    嵌合筒部
３２    外向鍔部
３３    内径支持部
３４    第一接触リップ
３５    第二接触リップ
３６    第三接触リップ
３８    外径側覆部
３９    堰部
４０、４０Ａ、４０Ｂ    環状突起
【図１】
2020020351.tif 000003
【図２】
2020020351.tif 000004
【図３】
2020020351.tif 000005
【図４】
2020020351.tif 000006
【図５】
2020020351.tif 000007
【図６】
2020020351.tif 000008